(57)【要約】  本技術の一形態に係る情報処理装置は、検出部と、受付部と、画像制御部とを具備する。前記検出部は、ネットワークに接続されコンテンツの再生が可能な複数の再生装置の各々が、前記コンテンツの再生に関するグループを構成しているか否かをそれぞれ検出可能である。前記受付部は、ユーザからの前記グループの構成に関する操作を受け付ける。前記画像制御部は、前記検出部による検出結果をもとに前記複数の再生装置の各々を示す画像を含む前記グループの構成状態を示すグループ状態画像を出力し、前記受け付けられたグループの構成に関する操作に応じて前記グループ状態画像を制御する。
2016103546.tif 000002
【特許請求の範囲】
【請求項１】
ネットワークに接続されコンテンツの再生が可能な複数の再生装置の各々が、前記コンテンツの再生に関するグループを構成しているか否かをそれぞれ検出可能な検出部と、
ユーザからの前記グループの構成に関する操作を受け付ける受付部と、
前記検出部による検出結果をもとに前記複数の再生装置の各々を示す画像を含む前記グループの構成状態を示すグループ状態画像を出力し、前記受け付けられたグループの構成に関する操作に応じて前記グループ状態画像を制御する画像制御部と
を具備する情報処理装置。
【請求項２】
請求項１に記載の情報処理装置であって、
前記画像制御部は、前記グループを構成している再生装置が検出された場合に、当該再生装置を含むグループを示す画像を前記グループ状態画像内に表示する
情報処理装置。
【請求項３】
請求項１に記載の情報処理装置であって、
前記グループは、同一のコンテンツを同時に再生可能なグループである
情報処理装置。
【請求項４】
請求項１に記載の情報処理装置であって、
前記受付部は、前記再生装置を示す画像を選択する第１の操作を受け付け、
前記画像制御部は、前記第１の操作に応じて、前記グループを構成可能な再生装置を示す画像を強調して表示する
情報処理装置。
【請求項５】
請求項４に記載の情報処理装置であって、
前記受付部は、前記グループを構成していない再生装置を非構成装置として、前記グループを構成可能な前記非構成装置を示す画像を選択した状態で前記グループ状態画像内を移動する第２の操作を受け付け、
前記画像制御部は、前記第２の操作の移動先が、前記グループを構成可能な再生装置を示す画像である場合に、前記選択された非構成装置及び前記移動先の再生装置により新たに構成されるグループを示す画像を表示する
情報処理装置。
【請求項６】
請求項４に記載の情報処理装置であって、
前記受付部は、前記グループを構成していない再生装置を非構成装置として、前記グループを構成可能な前記非構成装置を示す画像を選択した状態で前記グループ状態画像内を移動する第２の操作を受け付け、
前記画像制御部は、前記第２の操作の移動先が、既に構成されているグループを示す画像である場合に、前記選択された非構成装置及び前記移動先のグループに含まれる再生装置により新たに構成されるグループを示す画像を表示する
情報処理装置。
【請求項７】
請求項４に記載の情報処理装置であって、
前記受付部は、前記グループを構成していない再生装置を非構成装置として、前記グループを構成可能な前記非構成装置を示す画像を選択した状態で前記グループ状態画像内を移動する第２の操作を受け付け、
前記画像制御部は、前記第２の操作の移動先が、他の再生装置を示す画像が存在しない位置の場合に、当該位置に前記選択された非構成装置を示す画像を移動させる
情報処理装置。
【請求項８】
請求項４に記載の情報処理装置であって、
前記受付部は、前記グループを構成していない再生装置を非構成装置として、前記グループを構成可能な前記非構成装置を示す画像を選択した状態で前記グループ状態画像内を移動する第２の操作を受け付け、
前記画像制御部は、前記第２の操作の移動先が、前記グループを構成可能ではない再生装置を示す画像である場合に、前記選択された非構成装置を示す画像を元の位置に戻す
情報処理装置。
【請求項９】
請求項５に記載の情報処理装置であって、
前記受付部は、前記グループを構成している再生装置をグループ装置として、当該グループ装置を示す画像を選択した状態で前記グループ状態画像内を移動する第３の操作を受け付け、
前記画像制御部は、前記第３の操作の移動先が、前記選択されたグループ装置を含んでいたグループを示す画像から外れた位置の場合に、当該グループから前記グループ装置が離脱する画像を表示する
情報処理装置。
【請求項１０】
請求項９に記載の情報処理装置であって、
前記画像制御部は、前記グループに含まれる複数のグループ装置のうちの１つをマスタ装置として識別可能に表示し、前記第３の操作により前記マスタ装置を示す画像が選択され前記グループを示す画像から外れた位置に移動された場合に、前記グループが解散する画像を表示する
情報処理装置。
【請求項１１】
請求項９に記載の情報処理装置であって、
前記受付部は、前記グループを示す画像を選択する第４の操作を受け付け、
前記画像制御部は、前記第４の操作に応じて、当該グループに含まれる複数のグループ装置による前記コンテンツの再生に関する情報を含む再生情報画像を出力する
情報処理装置。
【請求項１２】
請求項１１に記載の情報処理装置であって、
前記再生情報画像は、前記複数のグループ装置により同時に再生可能なコンテンツの情報を含む
情報処理装置。
【請求項１３】
請求項１に記載の情報処理装置であって、
前記画像制御部は、前記複数のグループ装置により再生されているコンテンツに関するメタ情報を、前記グループ状態画像内に表示する
情報処理装置。
【請求項１４】
請求項１に記載の情報処理装置であって、
前記受付部は、タッチパネルであり、
前記グループ状態画像は、前記タッチパネルに表示される
情報処理装置。
【請求項１５】
ネットワークに接続されコンテンツの再生が可能な複数の再生装置の各々が、前記コンテンツの再生に関するグループを構成しているか否かをそれぞれ検出し、
ユーザからの前記グループの構成に関する操作を受け付け、
前記検出の結果をもとに前記複数の再生装置の各々を示す画像を含む前記グループの構成状態を示すグループ状態画像を出力し、前記受け付けられたグループの構成に関する操作に応じて前記グループ状態画像を制御する
ことをコンピュータが実行する情報処理方法。
【請求項１６】
ネットワークに接続されコンテンツの再生が可能な複数の再生装置の各々が、前記コンテンツの再生に関するグループを構成しているか否かをそれぞれ検出するステップと、
ユーザからの前記グループの構成に関する操作を受け付けるステップと、
前記検出の結果をもとに前記複数の再生装置の各々を示す画像を含む前記グループの構成状態を示すグループ状態画像を出力し、前記受け付けられたグループの構成に関する操作に応じて前記グループ状態画像を制御するステップと
をコンピュータに実行させるプログラム。
【発明の詳細な説明】
【技術分野】
【０００１】
本技術は、ネットワークに接続された再生装置を制御するための情報処理装置、情報処理方法、及びプログラムに関する。
【背景技術】
【０００２】
従来、家庭内にホームネットワークを構築しそこに接続された複数のＡＶ（Audio & Visual）機器により、音楽や映像等のコンテンツを再生するシステムが知られている。例えば特許文献１には、複数の部屋に配置されている複数のＡＶ機器がＩＥＥＥ（Institute of Electrical and Electronics Engineers）１３９４ネットワークに接続されたシステムが開示されている。このシステムでは、ＡＶ機器が配置されている部屋に対応してグループが定められ、ＩＲ(Infrared)リモコンの表示画面にグループごとにＡＶ機器が表示される。これによりＡＶ機器の選択作業の効率化が図られている（特許文献１の明細書段落［００３３］−［００３５］等）。
【先行技術文献】
【特許文献】
【０００３】
【特許文献１】特開２００２−１９９４７４号公報
【発明の概要】
【発明が解決しようとする課題】
【０００４】
上記のようなシステムにおいて、ネットワークに接続された複数の再生装置によるコンテンツの再生を操作性よく制御することが可能な技術が求められている。【０００５】
以上のような事情に鑑み、本技術の目的は、ネットワークに接続された複数の再生装置によるコンテンツの再生を操作性よく制御することが可能となる情報処理装置、情報処理方法、及びプログラムを提供することにある。
【課題を解決するための手段】
【０００６】
上記目的を達成するため、本技術の一形態に係る情報処理装置は、検出部と、受付部と、画像制御部とを具備する。
前記検出部は、ネットワークに接続されコンテンツの再生が可能な複数の再生装置の各々が、前記コンテンツの再生に関するグループを構成しているか否かをそれぞれ検出可能である。
前記受付部は、ユーザからの前記グループの構成に関する操作を受け付ける。
前記画像制御部は、前記検出部による検出結果をもとに前記複数の再生装置の各々を示す画像を含む前記グループの構成状態を示すグループ状態画像を出力し、前記受け付けられたグループの構成に関する操作に応じて前記グループ状態画像を制御する。【０００７】
この情報処理装置では、ネットワークに接続された複数の再生装置の各々についてグループを構成しているか否かが検出される。当該検出の結果をもとに各再生装置を示す画像を含むグループ状態画像が出力され、ユーザからの操作に応じて当該グループ状態画像が制御される。これによりユーザは、グループ状態画像を見ながら操作性よくコンテンツの再生を制御することが可能となる。【０００８】
前記画像制御部は、前記グループを構成している再生装置が検出された場合に、当該再生装置を含むグループを示す画像を前記グループ状態画像内に表示してもよい。
これにより現在グループが構成されているか否かを容易に把握することが可能となる。【０００９】
前記グループは、同一のコンテンツを同時に再生可能なグループであってもよい。
本技術を用いることで、グループによるコンテンツの同時再生を操作性よく制御することが可能となる。【００１０】
前記受付部は、前記再生装置を示す画像を選択する第１の操作を受け付けてもよい。この場合、前記画像制御部は、前記第１の操作に応じて、前記グループを構成可能な再生装置を示す画像を強調して表示してもよい。
これによりグループを構成可能な装置を簡単に把握することが可能となり、グループの作成等を操作性よく実行することができる。【００１１】
前記受付部は、前記グループを構成していない再生装置を非構成装置として、前記グループを構成可能な前記非構成装置を示す画像を選択した状態で前記グループ状態画像内を移動する第２の操作を受け付けてもよい。この場合、前記画像制御部は、前記第２の操作の移動先が、前記グループを構成可能な再生装置を示す画像である場合に、前記選択された非構成装置及び前記移動先の再生装置により新たに構成されるグループを示す画像を表示してもよい。
これにより簡単な操作でグループを作成することができる。【００１２】
前記画像制御部は、前記第２の操作の移動先が、既に構成されているグループを示す画像である場合に、前記選択された非構成装置及び前記移動先のグループに含まれる再生装置により新たに構成されるグループを示す画像を表示してもよい。
これにより簡単な操作で非構成装置をグループに追加することができる。【００１３】
前記画像制御部は、前記第２の操作の移動先が、他の再生装置を示す画像が存在しない位置の場合に、当該位置に前記選択された非構成装置を示す画像を移動させてもよい。
これにより簡単な操作でグループ状態画像内の再生装置を移動させることができる。【００１４】
前記画像制御部は、前記第２の操作の移動先が、前記グループを構成可能ではない再生装置を示す画像である場合に、前記選択された非構成装置を示す画像を元の位置に戻してもよい。
これによりグループの作成ができないこと等を簡単に把握することが可能となり操作性が向上する。【００１５】
前記受付部は、前記グループを構成している再生装置をグループ装置として、当該グループ装置を示す画像を選択した状態で前記グループ状態画像内を移動する第３の操作を受け付けてもよい。この場合、前記画像制御部は、前記第３の操作の移動先が、前記選択されたグループ装置を含んでいたグループを示す画像から外れた位置の場合に、当該グループから前記グループ装置が離脱する画像を表示してもよい。
これにより簡単な操作でグループ装置をグループから離脱させることができる。【００１６】
前記画像制御部は、前記グループに含まれる複数のグループ装置のうちの１つをマスタ装置として識別可能に表示し、前記第３の操作により前記マスタ装置を示す画像が選択され前記グループを示す画像から外れた位置に移動された場合に、前記グループが解散する画像を表示してもよい。
これにより簡単な操作でグループを解散させることができる。【００１７】
前記受付部は、前記グループを示す画像を選択する第４の操作を受け付けてもよい。この場合、前記画像制御部は、前記第４の操作に応じて、当該グループに含まれる複数のグループ装置による前記コンテンツの再生に関する情報を含む再生情報画像を出力してもよい。
これにより簡単な操作でグループごとの再生設定等を実行することが可能となる。【００１８】
前記再生情報画像は、前記複数のグループ装置により同時に再生可能なコンテンツの情報を含んでもよい。
これによりグループごとに再生可能なコンテンツを簡単に把握することができる。【００１９】
前記画像制御部は、前記複数のグループ装置により再生されているコンテンツに関するメタ情報を、前記グループ状態画像内に表示してもよい。
これによりコンテンツの情報を把握することが可能となる。【００２０】
前記受付部は、タッチパネルであってもよい。この場合、前記グループ状態画像は、前記タッチパネルに表示されてもよい。
タッチパネルを用いて操作性よくコンテンツの再生を制御することができる。【００２１】
本技術の一形態に係る情報処理方法は、ネットワークに接続されコンテンツの再生が可能な複数の再生装置の各々が、前記コンテンツの再生に関するグループを構成しているか否かをそれぞれ検出することを含む。
ユーザからの前記グループの構成に関する操作が受け付けられる。
前記検出の結果をもとに前記複数の再生装置の各々を示す画像を含む前記グループの構成状態を示すグループ状態画像が出力され、前記受け付けられたグループの構成に関する操作に応じて前記グループ状態画像が制御される。【００２２】
本技術の一形態に係るプログラムは、以下のステップをコンピュータに実行させる。
ネットワークに接続されコンテンツの再生が可能な複数の再生装置の各々が、前記コンテンツの再生に関するグループを構成しているか否かをそれぞれ検出するステップ。
ユーザからの前記グループの構成に関する操作を受け付けるステップ。
前記検出の結果をもとに前記複数の再生装置の各々を示す画像を含む前記グループの構成状態を示すグループ状態画像を出力し、前記受け付けられたグループの構成に関する操作に応じて前記グループ状態画像を制御するステップ。
【発明の効果】
【００２３】
以上のように、本技術によれば、ネットワークに接続された複数の再生装置によるコンテンツの再生を操作性よく制御することが可能となる。なお、ここに記載された効果は必ずしも限定されるものではなく、本開示中に記載されたいずれかの効果であってもよい。
【図面の簡単な説明】
【００２４】
【図１】一実施形態に係るネットワークシステムの構成例を示す概略図である。
【図２】図１に示す携帯端末の構成例を示すブロック図である。
【図３】グループ状態画像を出力するまでの動作例を示すシーケンス図である。
【図４】グループが未構成の場合のグループ状態画像の構成例を示す図である。
【図５】グループが構成されている場合のグループ状態画像の構成例を示す図である。
【図６】第１の操作が入力される場合のグループ状態画像の構成例を示す図である。
【図７】グループが新規作成される場合のグループ状態画像の構成例を示す図である。
【図８】グループを新規に作成する動作例を示すシーケンス図である。
【図９】グループへの新規追加の操作が入力される場合のグループ状態画像の構成例を示す図である。
【図１０】グループへの新規追加の操作が入力される場合のグループ状態画像の構成例を示す図である。
【図１１】グループへの新規追加の動作例を示すシーケンス図である。
【図１２】グループの解散操作が入力される場合のグループ状態画像の構成例を示す図である。
【図１３】グループの解散操作が入力される場合のグループ状態画像の構成例を示す図である。
【図１４】グループの解散操作が入力される場合のグループ状態画像の構成例を示す図である。
【図１５】グループを解散させる動作例を示すシーケンス図である。
【図１６】グループからの離脱の動作例を示すシーケンス図である。
【図１７】コンテンツに関するメタ情報が表示されたグループ状態画像の構成例を示す図である。
【図１８】再生情報画像の例を示す図である。
【図１９】再生情報画像の例を示す図である。
【発明を実施するための形態】
【００２５】
以下、本技術に係る実施形態を、図面を参照しながら説明する。
【００２６】
［ネットワークシステム］
図１は、本技術の一実施形態に係るネットワークシステムの構成例を示す概略図である。ネットワークシステム５００は、家庭内に構築されたホームネットワーク１と、これに接続された複数の再生装置１０、コンテンツを提供するサーバ装置２０と、本実施形態に係る情報処理装置として機能する携帯端末３０とを有する。
【００２７】
ホームネットワーク１としては、例えばＤＬＮＡ（Digital Living Network Alliance）規格に準拠したネットワークが用いられる。この場合、複数の再生装置１０はＤＭＲ（Digital Media Renderer）として機能し、サーバ装置２０はＤＭＳ（Digital Media Server）として機能する。また携帯端末３０は、ＤＭＣ（Digital Media Controller）として機能する。この構成に限定されず、例えば他のプロトコルを利用したネットワークが用いられてもよい。
【００２８】
複数の再生装置１０、サーバ装置２０、及び携帯端末３０は、例えば図示しないアクセスポイント等を介して、ＷｉＦｉ等の無線通信によりホームネットワーク１に接続される。その他、ホームネットワーク１への接続方法は限定されず、ＬＡＮケーブル等を介した有線での通信が用いられてもよい。
【００２９】
図１に示すように、複数の再生装置１０は、リビングルーム２、ホビールーム３、及びベッドルーム４の各部屋に配置される。ユーザ５は、携帯端末３０を操作することで、各部屋に配置された再生装置１０に、サーバ装置２０内のコンテンツの再生を指示することができる。本実施形態では、複数の再生装置１０により音楽コンテンツが再生される。しかしながら、本技術は、音楽コンテンツの再生に限定されず、映像等の種々のコンテンツの再生に適用可能である。なお再生装置１０の数は限定されない。
【００３０】
再生装置１０として、ＤＭＰ（Digital Media Player）として動作可能なものが配置されてもよい。この場合、当該再生装置１０が有するＵＩ（User Interface）を操作することで、サーバ装置２０内のコンテンツを再生することができる。
【００３１】
再生装置１０としては、例えばテレビジョン装置、ＰＣ（Personal computer）、オーディオビデオレシーバ、ビデオモニタ、又は家庭用ゲーム機器等が用いられる。サーバ装置２０としては、例えばＰＣ又はネットワーク対応のＨＤＤ（ＮＡＳ）等が用いられる。携帯端末３０としては、典型的にはスマートフォンが用いられるが、これに限定されずタブレット端末やゲーム機器等の種々のＰＤＡ（Personal Digital Assistant）等が用いられてもよい。
【００３２】
なお本実施形態では、図１のベッドルーム４に、ホームネットワーク１に接続されていない再生装置（以下、非ネットワーク装置と記載する）１３が配置される。非ネットワーク装置１３はＤＭＲとしては機能せず、例えばＣＤやＵＳＢ（Universal Serial Bus）を介して読み込んだコンテンツや、他のグローバルネットワーク等から取得したコンテンツを再生する。本実施形態では、Bluetooth（登録商標）等の近距離無線通信を介して、携帯端末３０により非ネットワーク装置１３の動作を制御可能である。
【００３３】
［携帯端末の構成］
図２は、携帯端末３０の構成例を示すブロック図である。携帯端末３０は、ＣＰＵ（Central Processing Unit）３１、ＲＯＭ（Read Only Memory）３２、ＲＡＭ（Random Access Memory）３３、ディスプレイ３４、タッチパネル３５を有する。また携帯端末３０は、通信部３６、外部Ｉ／Ｆ（インタフェース）３７、キー／スイッチ３８、及び撮像部３９を有する。
【００３４】
ＣＰＵ３１は、携帯端末３０の各ブロックと信号をやり取りして各種演算を行い、再生装置１０へのコンテンツの再生指示や、ディスプレイ３４（タッチパネル３５）への画像の表示等、携帯端末３０で実行される種々の処理を統括的に制御する。
【００３５】
ＲＯＭ３２は、種々の画像データやメタデータ等のＣＰＵ３１が処理する各種のデータや、アプリケーション等の各種のプログラムを記憶する。ＲＡＭ３２は、ＣＰＵ３１の作業領域として用いられる。アプリケーション等のプログラムが実行される際には、その実行に必要な各種データがＲＡＭ３２へ読み出される。
【００３６】
ＲＯＭ３２に代えて又は追加して、ＨＤＤ（Hard Disk Drive）や、フラッシュメモリ、その他の固体メモリ等の不揮発性メモリが設けられてもよい。そしてこれらの記憶デバイスに、上記した各種のデータやプログラムが記憶されてもよい。
【００３７】
ディスプレイ３４は、例えば液晶やＥＬ（Electro-Luminescence）等を用いた表示デバイスである。図２に示すように、ディスプレイ３４はタッチパネル３５と一体的に構成される。従って種々のＧＵＩ（Graphical User Interface）はタッチパネル３５に表示され、当該ＧＵＩに対してタッチ操作が入力可能である。タッチパネル３５は、本実施形態において受付部として機能する。
【００３８】
通信部３６は、携帯端末３０をホームネットワーク１や、非ネットワーク装置１３に接続するためのインタフェースである。例えば通信部３６として、ＷｉＦｉ等の無線ＬＡＮモジュールや、Bluetooth（登録商標）等の近距離無線モジュールが設けられる。
【００３９】
外部Ｉ／Ｆ３７は、例えばＵＳＢやＨＤＭＩ（登録商標）（High-Definition Multimedia Interface）等の規格に基づいて、外部機器と接続するためのインタフェースである。その他、メモリースティック等の各種メモリカードと接続するためのインタフェースが構成されてもよい。
【００４０】
キー／スイッチ部３８は、例えば電源スイッチ、ショートカットキー等、特にタッチパネル３５では入力できないユーザ５の操作等を受け付ける。撮像部３９は、例えばＣＭＯＳ（Complementary Metal Oxide Semiconductor）やＣＣＤ（Charge Coupled Devices）センサ等を有し被写体のデジタル画像を生成する。
【００４１】
上記のようなハードウェア構成を有する携帯端末３０による情報処理は、ＲＯＭ３２等に記憶されたソフトウェアと、携帯端末３０のハードウェア資源との協働により実現される。例えばＣＰＵ３１がＲＯＭ３２等に記憶された本技術に係るプログラム（アプリケーション）をＲＡＭ３３にロードして実行することにより、本技術に係る情報処理方法が実現される。その際には図２に示すように、ＣＰＵ３１は、検出部４０、画像制御部４１、及びグループ制御部４２として機能する。これらのブロックを実現するために、専用のハードウェアが適宜用いられてもよい。
【００４２】
アプリケーション等のプログラムは、例えばグローバルネットワークから携帯端末３０にインストールされる。あるいは、記録媒体を介してプログラムが携帯端末３０にインストールされてもよい。
【００４３】
［マルチルーム再生］
本実施形態に係る携帯端末３０の動作として、コンテンツのマルチルーム再生について説明する。マルチルーム再生とは、ホームネットワーク１に接続された２以上の再生装置１０によりグループを構成し、当該グループにて同一のコンテンツを同時に再生する再生方法である。
【００４４】
例えば同一の部屋にある複数の再生装置１０から同一のコンテンツを再生させることで、部屋全体にて大音量で音楽を楽しむことができる。あるいは多くの友人を家に招いてパーティを開催する場合等において、各部屋に配置された再生装置１０から同一のコンテンツを再生させ、その動作を同時に制御することでパーティを盛り上げることができる。
【００４５】
本実施形態では、グループを構成する２以上の再生装置１０のうちの１つがマスタ装置として設定され、他の再生装置１０がスレーブ装置として設定される。マルチルーム再生が実行される際には、その指示がマスタ装置に送信される。マスタ装置は、サーバ装置２０からコンテンツをダウンロードして、スレーブ装置に同時にストリーミング配信する。これによりコンテンツのマルチルーム再生が実現される。なおマルチルーム再生を実現するための方法は限定されず、例えば同期再生等に関する任意の技術が適宜用いられてよい。
【００４６】
本技術では、以下に説明するように、携帯端末３０のタッチパネル３５に、現状のグループの構成状態が俯瞰的に表示される。そしてその画像をもとに、グループの新規作成や解散、グループへの新規追加やグループからの離脱等を操作性よく実行することができる。従ってコンテンツのマルチルーム再生を操作性よく制御することができる。
【００４７】
図３は、グループの構成状態を示すグループ状態画像を出力するまでの動作例を示すシーケンス図である。図３では、図を分かりやすくするために、ホームネットワーク１に接続された再生装置として、３つの再生装置Ａ−Ｃが図示されている。
【００４８】
ユーザ５によりアプリケーションが起動されると、携帯端末３０の検出部４０により、再生装置１０を発見するための探索要求が生成され、ホームネットワーク１上にブロードキャストで送信される（ステップ１０１）。再生装置Ａ−Ｃは、探索要求に対する応答を携帯端末３０に送信する（ステップ１０２）。当該応答には、マルチルーム対応装置であるか否かを示す情報が含まれる。
【００４９】
マルチルーム対応装置とは、グループを構成してマルチルーム再生を実行可能である再生装置１０である。マルチルーム再生が実行できない再生装置１０は非対応装置となる。すなわちステップ１０２により、グループを構成可能であるか否かの情報が携帯端末３０に送信される。
【００５０】
検出部４０は、マルチルーム対応装置（この例では再生装置Ａ−Ｃ）に対して、グループ状態の問い合わせを行う（ステップ１０３）。グループ状態とは、グループを構成しているか否か、グループを構成している場合には、マスタ装置であるかスレーブ装置であるかを示す情報である。
【００５１】
ステップ１０１の探索要求、及びステップ１０３のグループ状態の問い合わせにより、携帯端末３０の検出部４０は、ホームネットワーク１に接続されコンテンツの再生が可能な複数の再生装置１０の各々が、マルチルーム再生のためのグループを構成しているか否かをそれぞれ検出可能である。なおこの検出のために例えばＵＰｎＰ（Universal Plug and Play）の制御メッセージ等がホームネットワーク１上に送信される。もちろんこれに限定されず、他の任意の技術が用いられて検出が実行されてもよい。
【００５２】
検出部４０は、マスタ装置（この例では再生装置Ａ）に対して、グループ装置のリスト確認の問い合わせを行う（ステップ１０４）。グループ装置とは、グループを構成している再生装置１０のことである。マスタ装置は、問い合わせに対して、グループに所属するスレーブ装置のリストを送信する（ステップ１０５）。
【００５３】
検出部４０は、取得したこれらの情報をもとに、現状のグループ構成状態を判定することができる。その判定結果をもとに、画像制御部４１によりグループ状態画像が出力される。なお各再生装置には、ユニークなＩＤが設定されており識別が可能となっている。
【００５４】
図４及び図５は、タッチパネル３５に表示されるグループ状態画像５０の構成例を示す図である。図３はグループが構成されていない状態のグループ状態画像５０Ａであり、図４はグループが構成されている状態のグループ状態画像５０Ｂである。
【００５５】
図４及び図５に示すように、グループ状態画像５０は、ホームネットワーク１に接続された複数の再生装置１０の各々のアイコン画像５１を含む。アイコン画像５１には、再生装置の種類に応じた画像が表示される。図４及び図５に示すアイコン画像５１ａから５１ｄは、図１に示す再生装置１０ａから１０ｄにそれぞれ対応している。
【００５６】
各アイコン画像５１は、例えば名称等を表すテキスト画像５２を含む。これにより各部屋に配置された実際の再生装置１０との対応が把握できる。またアイコン画像５１には、携帯端末３０との接続形態を示す、ネットワークマーク５３（この例ではＷｉＦｉマーク）と、個別通信マーク５４（この例ではBluetooth（登録商標）マーク）とが付せられる。ホームネットワーク１に接続された再生装置１０については、ネットワークマーク５３がアクティブに表示される。
【００５７】
グループ状態画像５０は、ホームネットワーク１に接続されていない非ネットワーク装置１３のアイコン画像５５も含む。アイコン画像５５にも、テキスト画像５２、ネットワークマーク５３、個別通信マーク５４が付せられる。非ネットワーク装置１３については、個別通信マーク５４がアクティブに表示される。その他、非ネットワーク装置１３である旨の情報が表示されてもよい。
【００５８】
例えばグループ状態画像５０内のプラスマーク５９等を選択することで、非ネットワーク装置１３の検出が実行され、検出された場合にはそのアイコン画像５５が表示される。非ネットワーク装置１３の検出が自動的に実行されてもよい。
【００５９】
本実施形態では、周囲の環境に存在する再生装置１０及び１３をタッチパネル３５に一括表示することができる。これによりコンテンツの再生を操作性よく制御することができる。なお非ネットワーク装置１３は、マルチルーム再生は実行できない。
【００６０】
図５に示すように、既にグループが構成されている場合、すなわちグループ装置が検出された場合には、当該グループ装置を含むグループのグループ画像５６が表示される。グループ画像５６は、円形状の画像であり、その周縁にグループに所属しているグループ装置のアイコン画像５１が配置される。図５に示す例では、図１に示す再生装置１０ｂ及び１０ｄがグループ装置として検出され、そのアイコン画像５１ｂ及び５１ｅがグループ画像５６の周縁部に配置されている。
【００６１】
グループ画像５６が表示される際には、マスタ装置が識別可能なように、マスタ装置となる再生装置１０のアイコン画像５１（この例ではアイコン画像５１ｅ）が強調して表示される。アイコン画像５１を強調して表示する方法は限定されず、例えば図５に示すように、テキスト画像５２が大きく表示される。もちろんこれに限定されず、アイコン画像５１の色を強調する、アイコン画像５１を点滅させる等、任意の表示方法が採用されてよい。なおマスタ装置である旨の情報が新たに付加されてもよい。
【００６２】
図５に示すようにグループ画像５６の周縁に配置されたアイコン画像５１については、ホームネットワーク１に接続されていることは明らかであるので、ネットワークマーク５４等の表示が省略されてもよい。なお複数のグループが構成されている場合には、各グループに対応する複数のグループ画像５６が表示される。
【００６３】
グループ状態画像５０を生成する方法や技術は限定されず、任意の方法及び技術が用いられてよい。例えば図３のステップ１０２又は１０３等において、上記したグループ構成に関する情報とともに、グループ状態画像５０を生成するための情報を含むデバイス情報が取得される。当該デバイス情報に、各再生装置１０のアイコン画像が含まれており、そのアイコン画像５１が利用されてもよい。テキスト画像５２についても、デバイス情報から名称等の情報が抽出され、それに基づいて生成される。
【００６４】
あるいは、携帯端末３０側でアイコン画像５１が記憶されており、取得したデバイス情報をもとに最適なアイコン画像５１が選択されてもよい。あるいはインターネット等のグローバルネットワークを介して、アイコン画像５１等のグループ状態画像５０を生成するための画像や情報が取得されてもよい。
【００６５】
アイコン画像５１やグループ画像５６のデザイン等やグループ状態画像５０のレイアウト等は、図４及び図５等に図示するものに限定されず、適宜設定されてよい。
【００６６】
ユーザ５は、タッチパネル３５に表示されたグループ状態画像５０に対して、グループの構成に関する種々の操作を入力可能である。画像制御部４１は、タッチパネル３５により受け付けられた操作に応じて、グループ状態画像５０を制御する。
【００６７】
例えばグループの新規作成や新規追加等の操作が入力された場合には、図２に示すグループ制御部４２により、操作に応じた要求や指示がマスタ装置に送信される。マスタ装置は要求等に応じて動作し、その結果をグループ制御部４２に返す。画像制御部４１は、その情報をもとに、グループ状態画像５０を制御する。
【００６８】
検出部４０により、所定のタイミング（マスタ装置の動作後等のタイミング）、あるいは定期的に、グループ状態の問い合わせが実行されてもよい。そしてその問い合わせの結果をもとに、グループ状態画像５０が制御されてもよい。
【００６９】
［マルチルーム対応装置の強調表示］
図６は、第１の操作が入力される場合のグループ状態画像５０Ｃの構成例を示す図である。第１の操作とは、ユーザ５により、グループ状態画像５０Ｃ内の再生装置１０のアイコン画像５１を選択する操作である。画像制御部４１は、第１の操作に応じて、グループ状態画像５０Ｃ内のアイコン画像５１のうち、グループを構成可能な再生装置１０のアイコン画像５１（この例では、アイコン５１ｂ、５１ｃ及び５１ｅ）を強調して表示する。すなわちマルチルーム対応装置が、強調して表示される。
【００７０】
アイコン画像５１を強調する方法は限定されない。本実施形態では、ユーザ５によりアイコン画像５１が選択されている間、マルチルーム対応装置のアイコン画像５１のサイズが動的に変更するアニメーションが表示される。すなわちマルチルーム対応装置のアイコン画像５１が大きくなったり小さくなったりする。その他、時間に沿って色が変化するアニメーションや、アイコン画像が点滅するアニメーションが表示されてもよい。以下、アニメーションのことを、単に画像と記載する場合がある。
【００７１】
マルチルーム対応装置のアイコン画像５１が強調して表示されることで、マルチルーム対応装置を簡単に把握することが可能となり、グループの作成等を操作性よく実行することができる。なお本実施形態では、グループ状態画像５０Ｃ内のいずれのアイコン画像５１が選択される場合でも、マルチルーム対応装置のアイコン画像５１が強調表示される。これに代えて、マルチルーム対応装置のアイコン画像５１が選択された場合のみ、マルチルーム対応装置のアイコン画像５１の強調表示が実行されてもよい。また非ネットワーク装置１３のアイコン画像５５が選択された場合には、その旨が表示されてもよい。
【００７２】
［グループの新規作成］
図７は、グループの新規作成が入力される場合のグループ状態画像５０Ｄの構成例を示す図である。グループを新規作成する際には、ユーザ５により第２の操作が入力される。第２の操作とは、グループを構成していない再生装置１０（以下、非構成装置と記載する）であってマルチルーム対応装置のアイコン画像５１（この例ではアイコン画像５１ｂ）を選択した状態で、グループ状態画像５０内を移動する操作である。
【００７３】
図７に示すように、第２の操作の移動先がマルチルーム対応装置のアイコン画像５１ｅであり、当該アイコン画像５１ｅ上で選択が解除された場合には、選択された非構成装置及び移動先のマルチルーム対応装置により新たにグループが構成され、そのグループ画像５６が表示される。その結果、図７に示すグループ状態画像５０Ｄから図５に示すグループ状態画像５０Ｂに画像が遷移される。
【００７４】
その際には、例えば２つのアイコン画像５１ｂ及び５１ｅが所定の距離だけ離れる画像や、グループ画像５６の円形状が点状から所定のサイズまで広がる画像、さらにはグループ画像５６に色が付される画像等が表示される。これによりグループが構成されたことを簡単に認識することができる。このようにマルチルーム再生可能な非構成装置のアイコン画像５１を、他のマルチルーム対応装置のアイコン画像５１上にドラッグ＆ドロップするだけで、簡単にグループを作成することができる。
【００７５】
なおアイコン画像５１やグループ画像５６が互いに重なり合わないように、画像制御部４１により、各画像の位置やサイズが自動的に調整されてもよい。例えば複数のグループ画像５６が表示される場合、グループ画像５６の円形状のサイズは適宜小さく表示されるこれによりグループ構成画像５０を分かりやすく表示することができる。
【００７６】
図８は、グループを新規に作成する動作例を示すシーケンス図である。グループ制御部４２により、グループの構成対象となる再生装置Ａ−Ｃのネットワーク状態が取得される（ステップ２０１）。ネットワーク状況とは、ホームネットワーク１への接続状態を示す情報であり、例えばネットワーク強度等の情報である。この処理は、図７に示すグループの新規作成の操作が入力された時に実行されてもよいし、定期的に実行されてもよい。
【００７７】
取得されたネットワーク状態の情報をもとに、マルチルーム対応装置のいずれか１つがマスタ装置として設定される（ステップ２０２）。例えばネットワーク強度が高い方の再生装置１０がマスタ装置として設定される。マスタ装置を決定する方法は限定されず、ユーザによりマスタ装置が選択されてもよい。
【００７８】
グループ制御部４２は、マスタ装置（この例では再生装置Ａ）に対して、グループ作成要求を送信する（ステップ２０３）。当該要求には、スレーブ装置となる再生装置（この例では再生装置Ｂ及びＣ）のＩＤが含まれている。作成要求を受信したマスタ装置は、スレーブ装置となる再生装置Ｂ及びＣに、グループへの参加要求を送信する（ステップ２０４）。これによりグループが構成され、再生装置Ａ−Ｃはグループ状態となる（ステップ２０５）。
【００７９】
なお図８に示す例では、スレーブ装置となる再生装置が複数存在する。当然のことながら図７に示す操作が入力された場合には、再生装置１０ｂ及び１０ｅのいずれかがマスタ装置として設定され、他方の再生装置１０にグループ参加要求が送信される。タッチパネル３５が複数の指によるマルチタッチ操作に対応している場合、２つの非構成装置が他のマルチルーム対応装置上に移動される場合もあり得る。この場合、図８に示すように複数の再生装置に参加要求が送信される。
【００８０】
［グループへの新規追加］
図９及び図１０は、グループへの新規追加の操作が入力される場合のグループ状態画像５０Ｅ及び５０Ｆの構成例を示す図である。図９に示すように、第２の操作の移動先が、既に構成されているグループのグループ画像５６である場合には、選択された非構成装置及び移動先のグループに含まれるグループ装置により新たにグループが構成される。そして図１０に示すように、当該グループを示す画像として、選択された非構成装置のアイコン画像５１ｃ、及びグループに含まれていたグループ装置のアイコン画像５１ｂ及び５１ｅが周縁に配置されたグループ画像５６'が表示される。
【００８１】
この際に、各アイコン画像５１の位置や、グループ画像５６'の円形状のサイズや色等に関して適宜アニメーションが表示されてもよい。このようにマルチルーム対応可能な非構成装置を、グループ画像５６上にドラッグ＆ドロップするだけで、簡単にグループへの新規追加を行うことができる。
【００８２】
図１１は、グループへの新規追加の動作例を示すシーケンス図である。グループ制御部４２により、マスタ装置（この例では再生装置Ａ）に対して、スレーブ装置の追加要求が送信される（ステップ３０１）。マスタ装置は、追加要求に含まれるＩＤをもとに、追加対象となる再生装置（この例では再生装置Ｃ）に、グループへの参加要求を送信する（ステップ３０２）。これにより再生装置Ｃがスレーブ装置として、グループに追加される（ステップ３０３）。
【００８３】
［アイコン画像の移動］
第２の操作の移動先が、グループ状態画像５０内の他の再生装置のアイコン画像５１が存在しない位置の場合には、画像制御部４２は、当該位置に、選択されたアイコン画像５１を移動させる。これにより簡単な操作でアイコン画像５１を移動させることができ、アイコン画像５１の位置関係を変更することができる。
【００８４】
例えば各部屋に配置されている再生装置１０の実際の位置に近い配置関係で、グループ状態画像５０内にアイコン画像５１を並べるといったことが簡単に可能である。これによりユーザ５は、直感的に再生装置１０の実際の位置を把握することができる。その他、再生装置１０の機種ごとに分類してアイコン画像５１を並べることで、操作性を向上させることも可能である。もちろんこれらに限定されるわけではない。
【００８５】
第２の操作の移動先が、非対応装置及び非ネットワーク装置１３のアイコン画像５１及び５５上である場合には、画像制御部４２は、選択されたアイコン画像５１を元の位置に戻す。これによりグループを構成不可であること等を簡単に把握することができる。
【００８６】
［グループの解散］
図１２−図１４は、グループの解散操作が入力される場合のグループ状態画像５０Ｇ、５０Ｈ及び５０Ｉの構成例を示す図である。グループを解散させる際には、ユーザ５により第３の操作が入力される。第３の操作とは、グループを構成しているグループ装置のアイコン画像５１を選択した状態で、グループ状態画像５０内を移動する操作である。
【００８７】
図１２及び図１３に示すように、マスタ装置のアイコン画像５１ｅが選択され、当該マスタ装置を含んでいたグループのグループ画像５６から外れた位置に移動されたとする。そうするとグループが解散され、図１４に示すように、グループ画像５６が消去される。またマスタ装置であった再生装置のアイコン画像５１ｅは、選択が解除された位置に移動される。
【００８８】
このようにマスタ装置のアイコン画像５１を、グループ画像５６から外れた位置にドラッグ＆ドロップするだけで、簡単にグループを解散させることができる。なおグループが解散する画像としては、その旨が理解できるのであれば任意の画像が表示されてよい。またグループが解散された旨がテキスト画像等により表示されてもよい。
【００８９】
グループ画像５６から外れた位置とは、典型的には、グループ画像５６の外側の位置である。これに限定されず、例えばグループ画像５６の形状等により、グループ画像５６の内側等が、グループ画像５６から外れた位置となり得る。またグループ状態画像５０内の所定の領域が、グループ離脱領域や解散領域として定められる場合には、当該領域内がグループ画像５６から外れた位置となる。
【００９０】
図１５は、グループを解散させる動作例を示すシーケンス図である。グループ制御部４２により、マスタ装置（この例では再生装置Ａ）に対して、グループの解散要求が送信される（ステップ４０１）。解散要求を受信したマスタ装置は、グループに所属している全てのスレーブ装置（この例では再生装置Ｂ及びＣ）にグループからの離脱要求を送信する（ステップ４０２）。全てのスレーブ装置が離脱すると、グループが解散される（ステップ４０３）。なおその他の方法でグループの解散が実行されてもよい。
【００９１】
［グループからの離脱］
グループ装置のうちのスレーブ装置のアイコン画像５１ｂ及び５１ｃが選択され、当該スレーブ装置を含んでいたグループのグループ画像５６から外れた位置に移動されたとする。この場合は、選択されたスレーブ装置のグループからの離脱が実行され、その画像が表示される（例えば図９のグループ状態画像５０Ｅから図５のグループ状態画像５０Ｂへの遷移）。このようにスレーブ装置のアイコン画像５１を、グループ画像５６から外れた位置にドラッグ＆ドロップするだけで、簡単にグループから離脱させることができる。
【００９２】
図１６は、グループからの離脱の動作例を示すシーケンス図である。グループ制御部４２により、マスタ装置（この例では再生装置Ａ）に対して、スレーブ装置の離脱要求が送信される（ステップ５０１）。マスタ装置は、離脱要求に含まれるＩＤをもとに、離脱対象となる再生装置（この例では再生装置Ｃ）に、離脱要求を送信する（ステップ５０２）。これにより再生装置Ｃがグループから離脱され、残る再生装置を含むグループ構成となる（ステップ５０３）。
【００９３】
なお本開示では、離脱とは、グループを構成している状態を抜け出すこと、すなわちグループへの所属が解消された状態を意味する。グループが解散すると必然的にグループへの所属は解消される。従って本開示では、グループが解散する画像は、グループ装置がグループから離脱する画像（グループへの所属が解消された画像）に含まれる。
【００９４】
以上、本実施形態に係る携帯端末３０では、ホームネットワーク１に接続された複数の再生装置１０の各々についてグループを構成しているか否かが検出される。当該検出の結果をもとに各再生装置１０のアイコン画像５１を含むグループ状態画像５０が出力され、ユーザ５からの操作に応じて当該グループ状態画像５０が制御される。これによりユーザ５は、グループ状態画像５０を１画面で見ながら、グループの新規作成やグループへの追加等の種々の操作を入力することが可能となる。この結果操作性よくコンテンツの再生を制御することが可能となる。
【００９５】
グループ状態画像５０に対して入力可能な操作は、上記で説明したものに限定されない。例えばマルチルーム再生に対応していない非対応装置や非ネットワーク装置１３のアイコン画像５１及び５５を選択して、他の再生装置１０のアイコン画像５１が存在しない位置に移動させることができる。移動先が他の再生装置１０上である場合には、アイコン画像５１及び５５は元の位置に戻される。
【００９６】
グループ装置のアイコン画像５１が、グループ画像５６から外れる位置にある他のグループ対応装置のアイコン画像５１上にドラッグ＆ドロップされる場合、グループ装置と移動先のグループ対応装置とを含む新たなグループが構成され、そのグループ画像５６が表示されてもよい。またグループ装置のアイコン画像５１の移動先が、他のグループ画像５６である場合には、グループ装置がそのグループに追加されたグループ画像５６が表示されてもよい。移動先が非対応装置や非ネットワーク装置１３のアイコン画像５１及び５５上である場合には、アイコン画像５１はグループ画像５６の周縁に戻される（グループから離脱されない）。
【００９７】
またマスタ装置のアイコン画像５１がグループ画像５６から外れた位置に移動された場合に、グループは解散されず、残ったスレーブ装置のいずれかをマスタ装置として、グループが継続され、そのグループ画像５６が表示されてもよい。その他、種々の操作が入力可能である。
【００９８】
＜その他の実施形態＞
本技術は、以上説明した実施形態に限定されず、他の種々の実施形態を実現することができる。
【００９９】
図１７は、コンテンツに関するメタ情報が表示されたグループ状態画像５０Ｊの構成例を示す図である。例えば同一のグループに含まれる複数のグループ装置により再生されているコンテンツに関するメタ情報６０が、グループ状態画像５０Ｊ内に表示されてもよい。図１７に示す例では、メタ情報として、コンテンツの名称６１及びアーティスト画像６２が表示される。これに限定されるわけではない。
【０１００】
例えば上記の実施形態では、マルチルーム再生が実行されるコンテンツとして、ホームネットワーク１上のサーバ装置２０から供給されるコンテンツを例に挙げた。しかしながらこれに限定されず、グループ対応装置がＣＤやＵＳＢを介して読み込んだコンテンツや、グループ対応装置がインターネット等の所定のサービスから取得したコンテンツが再生されてもよい。このような場合に、メタ情報６０として、コンテンツの取得先（コンテンツの所在地）を示す情報６３が表示されてもよい。
【０１０１】
なおメタ情報は、マルチルーム再生ではない通常の再生が実行される場合にも表示されてよい。図１７では、アイコン画像５１ａに対応する非対応装置１０ａが再生しているコンテンツについて、コンテンツの名称６１、アーティスト画像６２、及び取得先情報（インターネット上のネットワークサービス）６３が表示されている。
【０１０２】
その他、コンテンツに関するメタ情報として、コンテンツに関するインターネット情報が表示されてもよい。当該インターネット情報とは、コンテンツに関するウェブサイトのＵＲＬ（Uniform Resource Locator）やコンテンツに関するＳＮＳ（Social Networking Service）へのリンク等である。またコンテンツに関する広告やＴＶ番組情報等が表示されてもよい。これらのメタ情報が表示されることで、コンテンツに関する詳細な情報を得ることができ、コンテンツの再生をさらに楽しむことができる。
【０１０３】
また図１７に示すように、ユーザ５により、グループ状態画像５０Ｊ内のグループ画像５６を選択する第４の操作が入力された際に、画像制御部４１により、再生情報画像が出力されてもよい。再生情報画像は、複数のグループ装置によるマルチルーム再生に関する再生情報を含む画像である。すなわちグループ状態画像の制御に加えて再生情報画像の出力が実行されてもよい。
【０１０４】
図１８及び図１９は、再生情報画像の例を示す図である。図１８及び図１９に示す再生情報画像７０は、再生コントロール部７１と、情報表示部７２とを有する。再生コントロール部７１は、コンテンツの再生を制御するための複数の制御ボタン７３と、ボリューム調整バー７４とを有する。再生コントロール部７１を操作することで、複数のグループ装置によるマルチルーム再生を簡単に制御することができる。
【０１０５】
情報表示部７２には、コンテンツの再生に関する再生情報が表示される。図１８Ａの情報表示部７２には、選択されたグループによりマルチ再生可能なコンテンツの種類が表示される。例えばホームネットワークやＣＤ等を示すアイコン画像７５が表示される。これによりグループごとに再生可能なコンテンツを簡単に把握することができる。
【０１０６】
図１８Ｂの情報表示部７２には、マルチルーム再生が可能なコンテンツが格納されたファイルの情報や、コンテンツの情報がリスト表示される。図１８Ｃの情報表示部７２には、マルチルーム再生中のコンテンツの情報が表示される。例えばコンテンツの名称、アーティスト画像、又は再生位置等が表示される。
【０１０７】
図１９Ａの情報表示部７２には、種々の設定を実行するための各項目情報がリスト表示される。種々の設定には、再生設定、電源設定、その他の設定、ネットワーク設定等が含まれる。図１９Ｂの情報表示部７２には、コンテンツの再生に関する種々の設定のための各項目情報が含まれる。当該項目情報として、音質設定、ＥＱ（イコライザ）設定、タイマー設定、その他の設定等が含まれる。図１９Ｃの情報表示部７２には、ＥＱ設定のためのイコライザが表示される。
【０１０８】
図１８及び図１９に示す各再生情報画像７０が切替え可能に表示されてもよい。例えば図１８Ａ、図１８Ｂ、図１８Ｃの順番で、再生情報画像７０が切り替え可能であってもよい。その際には、例えば以下に示す操作が入力される。
図１８Ａのコンテンツ種別のアイコン画像７５のいずれかが選択される→図１８Ｂのコンテンツ項目７６のいずれかが選択される→図１８Ｃのコンテンツ情報が表示される。
【０１０９】
また例えば図１８Ａ、図１９Ａ、図１９Ｂ、図１９Ｃの順番で、再生情報画像７０が切り替え可能であってもよい。その際には、例えば以下に示す操作が入力される。
図１８Ａの設定用のアイコン画像７７が選択される→図１９Ａのサウンド項目７８が選択される→図１９ＢのＥＱ設定用の項目７９が選択される→図１９Ｃのイコライザが表示される。なお戻るボタン８０を選択することで、逆方向への切替えが可能である。
【０１１０】
このように再生情報画像が表示されることで、簡単な操作でグループごとの再生設定やＥＱ設定等を実行することが可能となる。すなわち複数のグループ装置の再生設定等を一括して行うことができ、高い操作性を発揮することができる。もちろん再生情報画像として上記したものとは異なる情報を含む画像が表示されてもよい。
【０１１１】
マルチルーム再生ではない通常の再生を実行している再生装置１０のアイコン画像５１が選択されることで、当該通常の再生に関する再生情報画像７０が出力されてもよい。再生情報画像は、マルチルーム再生又は通常の再生に関するファンクション画像ともいえる。
【０１１２】
上記で説明したマルチルーム再生が実行されるグループは、本技術に係るコンテンツの再生に関するグループの一例である。すなわちマルチルーム再生に限定されず、その他の再生動作等を実行可能とするグループや、その他の再生条件により構成されるグループに関しても、本技術は適用可能である。
【０１１３】
上記では、家庭内に構築されたホームネットワーク１を例に挙げて説明を行った。もちろんこれに限定されず、企業や施設等において構築されるローカルネットワークでも本技術は適用可能である。また互いに離間した建物内にローカルネットワークが構築されてもよい。例えば再生装置として車両に備えられたカーオーディオが採用され、当該カーオーディオが接続されたローカルネットワークに対して本技術が適用されてもよい。またグルーバルネットワーク上において本技術が適用されてもよい。
【０１１４】
グループを構成する再生装置の数は限定されないが、例えば１０台まで等の上限が定められてもよい。もちろん上限が設定されなくてもよい。
【０１１５】
上記では、本技術に係る情報処理装置として携帯端末を例示した。これに限定されず、据え置き型の装置等を含め、任意のコンピュータにより本技術は実行可能である。例えばＤＭＰとして動作可能な再生装置１０のタッチパネル等にグループ状態画像５０等が表示され種々の操作が入力されてもよい。
【０１１６】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１１７】
なお、本技術は以下のような構成も採ることができる。
（１）ネットワークに接続されコンテンツの再生が可能な複数の再生装置の各々が、前記コンテンツの再生に関するグループを構成しているか否かをそれぞれ検出可能な検出部と、
ユーザからの前記グループの構成に関する操作を受け付ける受付部と、
前記検出部による検出結果をもとに前記複数の再生装置の各々を示す画像を含む前記グループの構成状態を示すグループ状態画像を出力し、前記受け付けられたグループの構成に関する操作に応じて前記グループ状態画像を制御する画像制御部と
を具備する情報処理装置。
（２）（１）に記載の情報処理装置であって、
前記画像制御部は、前記グループを構成している再生装置が検出された場合に、当該再生装置を含むグループを示す画像を前記グループ状態画像内に表示する
情報処理装置。
（３）（１）又は（２に記載の情報処理装置であって、
前記グループは、同一のコンテンツを同時に再生可能なグループである
情報処理装置。
（４）（１）から（３）のうちいずれか１つに記載の情報処理装置であって、
前記受付部は、前記再生装置を示す画像を選択する第１の操作を受け付け、
前記画像制御部は、前記第１の操作に応じて、前記グループを構成可能な再生装置を示す画像を強調して表示する
情報処理装置。
（５）（４）に記載の情報処理装置であって、
前記受付部は、前記グループを構成していない再生装置を非構成装置として、前記グループを構成可能な前記非構成装置を示す画像を選択した状態で前記グループ状態画像内を移動する第２の操作を受け付け、
前記画像制御部は、前記第２の操作の移動先が、前記グループを構成可能な再生装置を示す画像である場合に、前記選択された非構成装置及び前記移動先の再生装置により新たに構成されるグループを示す画像を表示する
情報処理装置。
（６）（４）又は（５）に記載の情報処理装置であって、
前記受付部は、前記グループを構成していない再生装置を非構成装置として、前記グループを構成可能な前記非構成装置を示す画像を選択した状態で前記グループ状態画像内を移動する第２の操作を受け付け、
前記画像制御部は、前記第２の操作の移動先が、既に構成されているグループを示す画像である場合に、前記選択された非構成装置及び前記移動先のグループに含まれる再生装置により新たに構成されるグループを示す画像を表示する
情報処理装置。
（７）（４）から（６）のうちいずれか１つに記載の情報処理装置であって、
前記受付部は、前記グループを構成していない再生装置を非構成装置として、前記グループを構成可能な前記非構成装置を示す画像を選択した状態で前記グループ状態画像内を移動する第２の操作を受け付け、
前記画像制御部は、前記第２の操作の移動先が、他の再生装置を示す画像が存在しない位置の場合に、当該位置に前記選択された非構成装置を示す画像を移動させる
情報処理装置。
（８）（４）から（７）のうちいずれか１つに記載の情報処理装置であって、
前記受付部は、前記グループを構成していない再生装置を非構成装置として、前記グループを構成可能な前記非構成装置を示す画像を選択した状態で前記グループ状態画像内を移動する第２の操作を受け付け、
前記画像制御部は、前記第２の操作の移動先が、前記グループを構成可能ではない再生装置を示す画像である場合に、前記選択された非構成装置を示す画像を元の位置に戻す
情報処理装置。
（９）（５）から（８）のうちいずれか１つに記載の情報処理装置であって、
前記受付部は、前記グループを構成している再生装置をグループ装置として、当該グループ装置を示す画像を選択した状態で前記グループ状態画像内を移動する第３の操作を受け付け、
前記画像制御部は、前記第３の操作の移動先が、前記選択されたグループ装置を含んでいたグループを示す画像から外れた位置の場合に、当該グループから前記グループ装置が離脱する画像を表示する
情報処理装置。
（１０）（９）に記載の情報処理装置であって、
前記画像制御部は、前記グループに含まれる複数のグループ装置のうちの１つをマスタ装置として識別可能に表示し、前記第３の操作により前記マスタ装置を示す画像が選択され前記グループを示す画像から外れた位置に移動された場合に、前記グループが解散する画像を表示する
情報処理装置。
（１１）（９）又は（１０）に記載の情報処理装置であって、
前記受付部は、前記グループを示す画像を選択する第４の操作を受け付け、
前記画像制御部は、前記第４の操作に応じて、当該グループに含まれる複数のグループ装置による前記コンテンツの再生に関する情報を含む再生情報画像を出力する
情報処理装置。
（１２）（１１）に記載の情報処理装置であって、
前記再生情報画像は、前記複数のグループ装置により同時に再生可能なコンテンツの情報を含む
情報処理装置。
（１３）（１）から（１２）のうちいずれか１つに記載の情報処理装置であって、
前記画像制御部は、前記複数のグループ装置により再生されているコンテンツに関するメタ情報を、前記グループ状態画像内に表示する
情報処理装置。
（１４）（１）から（１３）のうちいずれか１つに記載の情報処理装置であって、
前記受付部は、タッチパネルであり、
前記グループ状態画像は、前記タッチパネルに表示される
情報処理装置。
【符号の説明】
【０１１８】
ホームネットワーク…１
１０…再生装置
１３…非ネットワーク装置
２０…サーバ装置
３０…携帯端末
４０…検出部
４１…画像制御部
４２…グループ制御部
５０…グループ状態画像
５１…アイコン画像
５６…グループ画像
６０…メタ情報
７０…再生情報画像
５００…ネットワークシステム
【図１】
2016103546.tif 000003
【図２】
2016103546.tif 000004
【図３】
2016103546.tif 000005
【図４】
2016103546.tif 000006
【図５】
2016103546.tif 000007
【図６】
2016103546.tif 000008
【図７】
2016103546.tif 000009
【図８】
2016103546.tif 000010
【図９】
2016103546.tif 000011
【図１０】
2016103546.tif 000012
【図１１】
2016103546.tif 000013
【図１２】
2016103546.tif 000014
【図１３】
2016103546.tif 000015
【図１４】
2016103546.tif 000016
【図１５】
2016103546.tif 000017
【図１６】
2016103546.tif 000018
【図１７】
2016103546.tif 000019
【図１８】
2016103546.tif 000020
【図１９】
2016103546.tif 000021
【国際調査報告】
2016103546.tif 000022
2016103546.tif 000023